(57)【要約】【課題】オープンショーケースの側板に形成した窓部に装着する透視ガラスについて、その後部コーナーをＲ加工することなしに、側板窓部のＲ状コーナーへ嵌め込み装着できるように透視ガラスの取付け構造を改良する。【解決手段】本体ケースの側板７に切欠き形成した窓部にペアガラスの透視ガラス８を装着したオープンショーケースで、前記側板は内外二枚のパネル７ａ，７ｂ間に断熱材７ｃを充填した断熱でその窓部の後部コーナーをＲ形状となし、該窓部の縁に沿って側板にガラス支持枠を兼ねたトリムを布設して透視ガラスを嵌め込み支持したものにおいて、前記透視ガラスはその輪郭を直線状に裁断した角形形状とした上で、窓部のＲコーナー部位には、外形が略三角形状の鞘状枠体１０ａで、その開口縁に沿って左右にＲ状鍔部１０ｂが張り出したＲコーナートリム１０を側板の内外パネル７ａ，７ｂ間に嵌挿して布設し、該Ｒコーナートリムの鞘状枠体に透視ガラスのコーナー角部を嵌入して透視ガラスを嵌め込み支持する。【選択図】図１
2007159754.tif 000002
【特許請求の範囲】
【請求項１】
本体ケースの側板に切欠き形成した窓部にペアガラスの透視ガラスを装着したオープンショーケースであって、前記側板は内外二枚のパネル間に断熱材を充填した断熱パネルで、前記窓部の後部コーナーをＲ形状となし、該窓部の縁に沿って側板にガラス支持枠を兼用するトリムを布設した上で、該トリムを介して透視ガラスを嵌め込み支持したものにおいて、
透視ガラスはその輪郭を直線状に裁断した角形形状とした上で、前記窓部のＲコーナー部位には、透視ガラスのコーナー角部に対応する形状の鞘状枠体になり、かつその開口縁がＲ形状に湾曲したＲコーナートリムを側板の内外パネル間に嵌入して布設し、該Ｒコーナートリムの鞘状枠体に透視ガラスのコーナー角部を嵌め込み支持したことを特徴とするオープンショーケース。
【請求項２】
請求項１に記載のオープンショーケースにおいて、Ｒコーナートリムは外形が略三角形になる鞘状枠体の開口縁から左右に延在するＲ形状の鍔部を有し、該鍔部を側板に切欠き形成した窓部のＲコーナー周縁に添わせて側板の内外パネル間に嵌合支持したことを特徴とするオープンショーケース。
【発明の詳細な説明】
【技術分野】
【０００１】
本発明は、スーパーマーケットなどの店舗に据付けて使用する冷凍，冷蔵仕様のオープンショーケースに関し、詳しくはそのケース側板に装着した透視ガラスの支持構造に係わる。
【背景技術】
【０００２】
頭記のオープンショーケースとして、その左右側板に切欠き形成した窓部に透視ガラスを嵌め込み装着して庫外側方からでも庫内に陳列した商品を見えるようにした構成のものが知られており（例えば、特許文献１参照）、そのオープンショーケースの全体構造を図２に示す。図において、１は断熱筐体になる前面開放形のケース本体、２は内箱、３は庫内に設置した多段式の商品陳列棚、４は庫内奥部の天井側に傾斜姿勢で配したミラー、５は冷却器（冷凍機のエバポレータ）、６は冷気循環送風用の庫内ファン、７はケース本体１の左右側面に配した側板、８は側板７に切欠きに形成した窓部に嵌め込み装着した透視ガラスである。
ここで、本発明の実施の形態である図１を参照して前記の側板７および透視ガラス８について説明すると、側板７は内外二枚のパネルの間に断熱層（例えば発泡樹脂）を充填し、そのパネル周縁に沿ってステンレス，樹脂などで作られたトリム（化粧枠）を被着した断熱パネルになる。また、この側板７に切欠き形成した窓部７ｄは、庫内に配したミラー４の端縁をパネルで覆い隠するように、窓部の後部上側のコーナーが図示のようにＲ状を呈するようにデザイン形成されている。
【０００３】
また、透視ガラス８にはペアガラス（内外二枚のガラス板８ａと８ｂの周縁をスペーサ８ｃで封止し、その内方空間を真空引きして遮熱性を高めた二重ガラス）を採用し、前記窓部７ｄの形状に合わせて後部上側のコーナーがＲ形状に加工されている。そして、この透視ガラス８は、その前端縁には金属製の化粧枠（通称「前トリム」）を被着し、前縁を除く周縁を前記トリム９に直接，あるいは樹脂成形品で作られたガラス受けフレームを介して側板７の窓部７ｄに前他から嵌め込み、この組立位置で透視ガラス８の前縁上下端部に被せた金属製のキャップを側板７の端縁化粧枠にねじ止めして透視ガラス８を定位置に固定するようにしている。
【特許文献１】特開２０００−１８４９４４号公報（図１，図２）
【発明の開示】
【発明が解決しようとする課題】
【０００４】
ところで、前記のように側板７に切欠き形成した窓部，およびこの窓部に装着する透視ガラス８の後部上側のコーナー部分をＲ形状にデザイン化することで、ケースの庫内上部に配したミラー４の両端側縁を側板７により目隠しして外見上の見栄えがよくなる反面、ペアガラスのコーナー部分をＲ形状に形成することは、ガラスの外形輪郭を直線状に裁断して作製した方形状のペアガラスと比べて加工費が高くなり、このことがショーケースの製作コストを押し上げる要因になっている。
本発明は上記の点に鑑みなされたものであり、その目的は前記課題を解決し、透視ガラスの後部コーナーをＲ形状に加工することなしに、側板に形成した窓部のＲ状コーナーへ嵌め込み装着できるように透視ガラスの取付け構造を改良したオープンショーケースを提供することにある。
【課題を解決するための手段】
【０００５】
上記目的を達成するために、本発明によれば、本体ケースの側板に切欠き形成した窓部にペアガラスの透視ガラスを装着したオープンショーケースで、前記側板は内外二枚のパネル間に断熱材を充填した断熱パネルでその窓部の後部コーナーをＲ形状となし、該窓部の縁に沿って側板にガラス支持枠を兼用するトリムを布設した上で、該トリムを介して透視ガラスを嵌め込み支持したものにおいて、
透視ガラスはその輪郭を直線状に裁断した角形形状とした上で、前記窓部のＲコーナー部位には、透視ガラスの角部に対応する形状の鞘状枠体になり、かつその開口縁がＲ形状に湾曲したＲコーナートリムを側板の内外パネル間に嵌入して布設し、該Ｒコーナートリムの鞘状枠体に透視ガラスの後部コーナー部分を嵌め込んで支持するものとする（請求項１）。
【０００６】
また、前記のＲコーナートリムは、外形が略三角形になる鞘状枠体の開口縁から左右に延在するＲ形状の鍔部を有した構造とし、該鍔部を側板に切欠き形成した窓部のＲコーナー周縁に添わせて側板の内外パネル間に嵌挿支持する（請求項２）。
【発明の効果】
【０００７】
上記構成のように側板に切欠き形成した窓部のＲコーナー部位に、外形が略三角形になる鞘状枠体の開口縁から左右に延在するＲ形状の鍔部を形成した構造のＲコーナートリムを布設し、その鍔部を側板に形成した窓部のＲコーナー周縁に添わせて枠体を側板の内外パネル間に嵌合支持することにより、この窓部に装着する透視ガラスはそのコーナー部分を窓部のＲ形状に合わせてＲ形状に加工する必要がなく、輪郭を直線状に裁断した形状でその角形コーナーを側板の窓部に嵌め込み支持でき、これにより透視ガラスのコスト低減化が図れる。しかも、側板の窓部に透視ガラスを装着した状態では、透視ガラスのコーナー角部が、側板の内外パネル間に嵌入して外部に露呈することもなく、これによりショーケースの窓部デザインを損なうこともない。
【発明を実施するための最良の形態】
【０００８】
以下、本発明の実施の形態を図１（ａ）〜（ｃ）に示す実施例に基づいて説明する。なお、実施例の図中で図２に対応する部材には同じ符号を付してその説明は省略する。
すなわち、図示実施例において、側板７に切欠いた窓部７ｄに装着する透視ガラス８には、外形輪郭の各辺を直線状に裁断した角形形状のペアガラスを採用している。一方、側板７の窓部７ｄの後部上側に形成したＲコーナー部位（図１（ａ）のＡ部）には、次記構造のＲコーナートリム１０（樹脂成形品）を布設し、このＲコーナートリム１０に透視ガラス８のコーナー角部を前方から嵌入して定位置に保持するようにしている。
ここで、Ｒコーナートリム１０は、図１（ｃ）で示すように外形が略三角形で、かつその開口縁をＲ形状に湾曲させた鞘状の枠体１０ａに対し、その開口縁に沿って左右にＲ状鍔部１０ｂを張り出し形成した構造になり、前記枠体１０ａの開口縁，およびこの開口縁に沿って左右に張り出したＲ状鍔部１０ｂの湾曲形状が側板７の窓部７ｄの後部上側に形成したＲコーナーに対応している。
【０００９】
そして、このＲコーナートリム１０を側板７の窓部に組み付けるには、Ｒコーナートリムを窓部７ｄの後部上側に形成したＲコーナーの周端縁に添わせた上で、図１（ｂ）で表すように鞘状枠体１０ａを側板８の内パネル７ａと外パネル７ｂの間に嵌挿し、Ｒ状鍔部１０ｂを内パネル７ａと外パネル７ｂの端縁間に跨がって支持する。なお、この組み付け状態では、鞘状枠体１０ａが側板７の内外パネル間に潜り込んで外部には露呈しない。
また、前記のように側板７にＲコーナートリム１０を組み付け状態で、図１（ｃ）で示すように前方から矢印Ｐ方向に透視ガラス８をＲコーナートリム１０に嵌め込むと、ペアガラスの後部コーナー角部８ｄが鞘状枠体１０ａの中に嵌入して透視ガラス８が定位置に保持される。しかも、図１（ａ）から判るように、透視ガラス８の後部コーナー角部８ａは窓部７ｄのＲコーナーからパネル内方に引っ込んでいて外部に露呈することがない。
【００１０】
これにより、側板７に形成した窓部７ｄのデザインを損なうことなしに略方形状のペアガラスを採用して透視ガラスの加工費低減が図れ、かつ窓部のＲ状コーナーを生かしてケース本体の庫内側に配したミラー４（図２参照）の端縁を側板７のパネルで覆い隠すことができる。
【図面の簡単な説明】
【００１１】
【図１】本発明実施例の構成図で、（ａ）は側板全体の側面図、（ｂ）は（ａ）に表示したＡ部の拡大断面図、（ｃ）は（ａ）におけるＲコーナートリムとこれに嵌め込み支持する透視ガラスの外形斜視図
【図２】オープンショーケースの従来構造を表す側視断面図
【符号の説明】
【００１２】
１    オープンショーケースの本体ケース
７    側板
７ａ，７ｂ  内外パネル
７ｃ  断熱材
７ｄ  窓部
８    透視ガラス
８ａ．８ｂ  ペアガラスのガラス板
１０  Ｒコーナートリム
１０ａ  鞘状枠体
１０ｂ  Ｒ状鍔部
【図１】
2007159754.tif 000003
【図２】
2007159754.tif 000004